(57)【特許請求の範囲】
【請求項１】
隣合う床材との間に配線ピットを形成すべく、複数が所定間隔をおいて基礎床面上に敷設される配線用床材であって、
この配線用床材は、その天板下方に配線器具を収容可能な収容空間部が前記配線ピットに臨むように設けられるとともに、前記天板に形成したヒンジ部により、前記収容空間部を床上に臨ませ得るよう一部が上方に回動可能に設けられ、
この配線用床材の一部は、隣合う床材と干渉することなく、前記収容空間部を床上に臨ませ得るよう上方に回動可能であるとともに、
前記収容空間部は、天板裏側に下方または側方に開口して設けられ、前記配線器具を保持し得る凹所によって形成されたことを特徴とする配線用床材。
【請求項２】
隣合う床材との間に配線ピットを形成すべく基礎床面上に所定間隔をおいて敷設され、配線器具を収容可能な収容空間部が前記配線ピットに臨むように天板下方に設けられ、前記天板に形成したヒンジ部により、前記収容空間部を床上に臨ませ得るよう隣合う床材と干渉することなく一部が上方に回動可能に設けられた配線用床材と、前記配線用床材の収容空間部に収容される配線器具とを具備するとともに、
この配線器具は、前記収容空間部内に保持され、配線用床材が回動した際に床上側に臨むように前記配線用床材とともに回動することを特徴とする配線用床材装置。
【請求項３】
基礎床面上に所定間隔をおいて敷設される複数の配線用床材と、これらの配線用床材間に形成される配線ピットとで構成される配線用床材装置であって、
前記配線用床材は、その天板の下方に、配線器具を保持し得る収容空間部が前記配線ピットに臨むように設けられるとともに、前記天板に形成したヒンジ部により、前記収容空間部を床上に臨ませ得るよう一部が上方に回動可能に設けられ、前記配線用床材の一部は、隣合う配線用床材と干渉することなく、前記収容空間部内の配線器具を床上に臨ませ得るよう上方に回動可能であることを特徴とする配線用床材装置。
【請求項４】
基礎床面上に所定間隔をおいて敷設される複数の配線用床材と、これらの配線用床材間に形成される配線ピットと、この配線ピットを閉塞すべく隣合う前記各配線用床材間に載置される蓋体とで構成される配線用床材装置であって、
前記配線用床材は、その天板の下方に、配線器具を保持し得る収容空間部が前記配線ピットに臨むように設けられるとともに、前記天板に形成したヒンジ部により、前記収容空間部を床上に臨ませ得るよう一部が上方に回動可能に設けられ、前記配線用床材の一部は、前記蓋体を除去することで、隣合う配線用床材と干渉することなく、前記収容空間部内の配線器具を床上に臨ませ得るよう上方に回動可能であることを特徴とする配線用床材装置。
【発明の詳細な説明】
【０００１】
【産業上の利用分野】
本発明はＯＡルーム等の基礎床面に配線用床材を敷設して二重床を形成し、基礎床面と配線用床材との間の空間に電力線、電話線、信号線等の配線及びコンセントボックス等の配線器具を収納する配線用床材に関するもので、特に、配線の施工における作業性を向上させた配線用床材に関するものである。
【０００２】
【従来の技術】
近年における電子技術、通信技術の進歩によってＯＡ機器類は急速な進化を遂げ、更に、一般事務のＯＡ化もめざましい勢いで進展している。ところが、一方では、これに伴って、ＯＡ機器類に使用される電力線、通信線等の配線及びコンセントボックス等の配線器具が床面に混線、散乱し、オフィス内の美観が損なわれたり、配線につまずいたり、引っかけたりする危険が増大するようになった。このため、床面に配線用床材を敷設して二重床を形成し、二重床内の空間に配線及び配線器具を収容することが行なわれるようになってきている。
【０００３】
従来のこの種の配線用床材として、図９及び図１０に示したものがある。図９は従来の配線用床材を示す平面図、図１０は図９のＡ−Ａ切断線による断面図である。図において、オフィスルームの基礎床面１には下方に開口する箱状の配線ピット形成用ブロック２ｇが碁盤目状に配列して成る配線用床材２が敷設されている。前記配線ピット形成用ブロック２ｇは隣接する配線ピット形成用ブロック２ｇとの間に開口縁部相互を薄肉の底部２ｈで連結した構造となっており、隣接する配線ピット形成用ブロック２ｇと底部２ｈとによって凹部状の配線ピット３が形成されている。そして、配線ピット３の上部空間は蓋体４によって覆われており、更に、配線ピット形成用ブロック２ｇと蓋体４の上面にタイルカーペット、ビニルタイル等の仕上材５が載置されている。
【０００４】
このように構成された従来の配線用床材は基礎床面１、配線用床材２、蓋体４及び仕上材５によって二重床を形成し、配線用床材２の配線ピット形成用ブロック２ｇ内に形成された収容空間及び配線ピット３には配線器具６及び配線７が収納される。
従って、氾濫する配線器具６及び配線７が二重床の仕上材５によって覆われ、床上に露出しないので、オフィスルームはすっきりとした外観となり、配線７のつまずき、引っかけを防いでオペレーターの安全を確保できる。
【０００５】
【発明が解決しようとする課題】
しかし、従来の配線用床材は配線用床材２の強度上、配線ピット３の幅は必要最小限に抑えているために、配線器具６を配線ピット３内に据置いた場合には、配線ピット３内の収納空間全体が閉塞されてしまい、配線７の施工において支障をきたしている。また、大型の配線器具６では配線ピット３の幅が制限されているために配線ピット３内に収容することはできない。
【０００６】
そこで、図１１の従来の別の配線用床材を示す平面図のように、配線用床材２の配線ピット形成用ブロック２ｇの一部を除去し、それによって形成される空間内に配線器具６を収納することも行なわれる。しかし、この場合は、新たに配線ピット形成用ブロック２ｇの一部を切断、除去して配線器具６の収納空間を形成する手間が必要となり、また、配線器具６を載置した後、この収納空間の上部を覆うための蓋体４を別途取付けなければならなくなる。
【０００７】
一方、ＯＡ機器の急速な進歩によって機器の増設や取替えの頻度が多くなるに従い、施工に多くの手間が必要となってきているのが現状である。
【０００８】
そこで、本発明は、配線器具を配線の障害となることなく、簡易かつ簡単に収容できる配線用床材の提供を課題とするものである。
【０００９】
【課題を解決するための手段】
請求項１の発明にかかる配線用床材は、隣合う床材との間に配線ピットを形成すべく、複数が所定間隔をおいて基礎床面上に敷設されるものであり、この配線用床材は、その天板下方に配線器具を収容可能な収容空間部が前記配線ピットに臨むように設けられるとともに、前記天板に形成したヒンジ部により、前記収容空間部を床上に臨ませ得るよう一部が上方に回動可能に設けられ、この配線用床材の一部は、隣合う床材と干渉することなく、前記収容空間部を床上に臨ませ得るよう上方に回動可能であるとともに、前記収容空間部は、天板裏側に下方または側方に開口して設けられ、前記配線器具を保持し得る凹所によって形成したものである。
【００１０】
請求項２の発明にかかる配線用床材装置は、隣合う床材との間に配線ピットを形成すべく基礎床面上に所定間隔をおいて敷設され、配線器具を収容可能な収容空間部が前記配線ピットに臨むように天板下方に設けられ、前記天板に形成したヒンジ部により、前記収容空間部を床上に臨ませ得るよう隣合う床材と干渉することなく一部が上方に回動可能に設けられた配線用床材と、前記配線用床材の収容空間部に収容される配線器具とを具備するとともに、この配線器具は、前記収容空間部内に保持され、配線用床材が回動した際に床上側に臨むように前記配線用床材とともに回動するものである。
【００１１】
また、請求項３にかかる配線用床材装置は、基礎床面上に所定間隔をおいて敷設される複数の配線用床材と、これらの配線用床材間に形成される配線ピットとで構成される配線用床材装置であって、前記配線用床材は、その天板の下方に、配線器具を保持し得る収容空間部が前記配線ピットに臨むように設けられるとともに、前記天板に形成したヒンジ部により、前記収容空間部内の配線器具を床上に臨ませ得るよう一部が上方に回動可能に設けられ、前記配線用床材の一部は、隣合う配線用床材と干渉することなく、前記収容空間部を床上に臨ませ得るよう上方に回動可能である
【００１２】
請求項４にかかる配線用床材装置は、基礎床面上に所定間隔をおいて敷設される複数の配線用床材と、これらの配線用床材間に形成される配線ピットと、この配線ピットを閉塞すべく隣合う前記各配線用床材間に載置される蓋体とで構成される配線用床材装置であって、前記配線用床材は、その天板の下方に、配線器具を保持し得る収容空間部が前記配線ピットに臨むように設けられるとともに、前記天板に形成したヒンジ部により、前記収容空間部を床上に臨ませ得るよう一部が上方に回動可能に設けられ、前記配線用床材の一部は、前記蓋体を除去することで、隣合う配線用床材と干渉することなく、前記収容空間部内の配線器具を床上に臨ませ得るよう上方に回動可能なものである。
【００１３】
【作用】
請求項１の発明は、隣合う床材との間に配線ピットを形成すべく、複数が所定間隔をおいて基礎床面上に敷設される配線用床材であるから、隣合う床材との間に配線ピットを確実に形成できる。また、この請求項１の発明においては、配線器具を収容可能な収容空間部が天板下方に設けられているので、上述した配線ピットが配線器具によって塞がれることがなく、配線の施工において支障をきたすことがない。そして、配線用床材の一部が、前記天板に形成したヒンジ部により上方に回動できるので、天板下方の収容空間部に収容される配線器具を増設し、または、取替えるときには、配線用床材の配線器具が収容されている部分のみを上方に回動すればよいから、配線器具の施工が容易である。
【００１４】
更に、配線用床材は隣合う配線用床材との間に所定の幅を有する配線ピットが形成されるよう敷設されているので、上方に回動するときに配線用床材同士が干渉することがない。そして、配線器具の収容空間に収容されている配線器具がその配線接続口を配線ピットに臨ませた状態で収容されているので、既に天板の下方に収容されている配線器具に配線を接続する場合に、その都度配線用床材を操作する手間が省ける。
【００１５】
そして、この請求項１の発明においては、配線用床材の収容空間部を下方または側方に開口する凹所によって形成しているので、配線器具を前記開口面から嵌入するだけの簡単な操作で収容することができる。また、配線用床材の一部を上方に回動したときに収容空間部は床上に臨むため、配線器具を収容空間部に収容、保持させた状態で一体に回動させれば楽な姿勢で配線器具の取付け、取外し作業ができるとともに、収容後に配線用床材の一部を下方に回動して復元するときに、配線器具を配線用床材の天板下方において単に基礎床面に載置して収容する場合には、配線用床材の天板裏面のリブ等と干渉しないよう据付位置に注意する必要があるのに対し、それが不要となる。
【００１６】
また、請求項２にかかる配線用床材装置は、隣合う床材との間に配線ピットを形成すべく基礎床面上に所定間隔をおいて敷設され、配線器具を収容可能な収容空間部が前記配線ピットに臨むように天板下方に設けられるとともに、前記収容空間部を床上に臨ませ得るよう隣合う床材と干渉することなく一部が、前記天板に形成したヒンジ部により上方に回動可能に設けられた配線用床材と、前記配線用床材の収容空間部に収容される配線器具とを具備し、さらに、収容空間部に収容された配線器具が、前記収容空間部内に保持され、配線用床材が回動した際に床上側に臨むように前記配線用床材とともに回動するものであるから、
・配線用床材２の相互間には配線ピット３が形成されているので、回動時に配線用床材２同士が干渉するのを防止できる。
・配線器具収容空間２ｆ内に既に収容されている配線器具６に対して配線７を接続する場合には、配線器具６がその配線接続口を、側面開口部２ｅを介して配線ピット３に臨ませた状態で据置かれているので、その都度天板２ａを操作しなくてもよいから、施工時間を短縮することができる。
・配線用床材２の配線器具収容空間２ｆが配線器具６を圧入により保持する凹所によって形成しているので、開口面から嵌入するだけで配線器具６を所定位置に簡単かつ確実に収容でき、回動時に落下することがない。
のである。
【００１７】
請求項３にかかる配線用床材装置は、基礎床面上に所定間隔をおいて敷設される複数の配線用床材と、これらの配線用床材間に形成される配線ピットとで構成される配線用床材装置であって、前記配線用床材は、その天板の下方に、配線器具を保持し得る収容空間部が前記配線ピットに臨むように設けられられるとともに、前記収容空間部を床上に臨ませ得るよう一部が、前記天板に形成したヒンジ部により上方に回動可能に設けられ、前記配線用床材の一部は、隣合う配線用床材と干渉することなく、前記収容空間部を床上に臨ませ得るよう上方に回動可能であるから、
・前記収容空間部を床上に臨ませ得るよう隣合う配線用床材と干渉することなく一部を上方に回動させ得る
のである。
【００１８】
請求項４にかかる配線用床材装置は、基礎床面上に所定間隔をおいて敷設される複数の配線用床材と、前記配線用床材間に形成される配線ピットと、この配線ピットを閉塞すべく隣合う前記各配線用床材間に載置される蓋体とで構成される配線用床材装置であって、前記配線用床材は、その天板の下方に、配線器具を保持し得る収容空間部が前記配線ピットに臨むように設けられるとともに、前記収容空間部を床上に臨ませ得るよう一部が、前記天板に形成したヒンジ部により上方に回動可能に設けられ、前記配線用床材の一部は、前記蓋体を除去することで、隣合う配線用床材と干渉することなく、前記収容空間部内の配線器具を床上に臨ませ得るよう上方に回動可能であるから、
・前記蓋体を除去することで、前記収容空間部を床上に臨ませ得るよう隣合う配線用床材と干渉することなく一部を上方に回動させ得る
のである。
【００１９】
【実施例】
以下、本発明の実施例を図１乃至図５に基づいて説明する。
図１は本発明の実施例の配線用床材を示す平面図、図２は図１の配線用床材を示す正面図、図３は図１の配線用床材を示す斜視図、図４は本実施例の配線用床材の一部を上方に回動した状態を示す正面図、図５は図４の配線用床材の状態を示す斜視図である。
【００２０】
図において、オフィスルームの基礎床面１には合成樹脂によって一体に形成された方形の配線用床材２が所定の間隔をおいて碁盤目状に敷設されている。前記配線用床材２は方形板状の天板２ａと、前記天板２ａの基礎床面１側の縁部に設けられた板状の支持脚２ｂと、前記天板２ａの裏面の基礎床面１側に突設された補強用のリブ２ｃとが一体に形成されている。そして、前記天板２ａは平面部が縦横に均等に４分割する折曲線イ及び折曲線ロに沿って、薄肉によりヒンジ構造に形成されたヒンジ部２ｄにより前記折曲線イまたは折曲線ロを軸として２ブロック単位で上方に回動できるようになっている。更に、前記配線用床材２の支持脚２ｂには所定位置に側面開口部２ｅが形成されており、また、天板２ａと基礎床面１との間における空間の周辺部、つまり図１及び図５に示すように、前記配線ピットを形成したときにこれに面する全ての側部には配線器具収容空間２ｆが形成されている。前記配線器具収容空間２ｆは、前記支持脚２ｂとリブ２ｃとによって下方に開口した凹所として形成され、その内部にコンセントボックス、電話端子ボックス等の配線器具６が嵌入されたときにこれを周囲から挟圧して両部材間の摩擦力により保持するようになっている。
【００２１】
更に、隣接する配線用床材２との間には所定幅の空間を有する配線ピット３が形成されている。前記配線ピット３の上部は、隣接する配線用床材２の天板２ａの周縁部に形成された段部に鋼板、アルミニウム板或いは硬質の合成樹脂等からなる蓋体４が載置されており、更に、配線用床材２の天板２ａ及び蓋体４の上面にはタイルカーペット、ビニルタイル等からなる仕上材５が敷設されている。尚、前記蓋体４は前記仕上材５の裏面の所定の位置に貼着されて一体物として取扱われるようにしてもよい。７は配線ピット３に収容された電源コード、通信ケーブル或いは電話線等の配線である。
【００２２】
次に、上記のように構成された本実施例の配線用床材の動作及び作用を図４及び図５に基づいて説明する。なお、ここでは、図１に示すように配線器具６及び配線７が接続されている状態に対して、ハの位置の配線器具収容空間２ｆに配線器具６を１台増設する場合について説明する。
【００２３】
配線器具６を１台増設するには、まず、増設しようとする配線器具６と対応する位置に敷設されている仕上材５と蓋体４とを取外す。次に、図１における配線用床材２の天板２ａの右側半分を折曲線イを軸として上方に回動し、基礎床面１を露出させる。このとき、天板２ａの折曲線イには薄肉のヒンジ構造としたヒンジ部２ｄが形成されているので、天板２ａの端部を把持して簡単に上方に折曲げることができる。次いで、増設する配線器具６を、ハの位置の配線器具収容空間２ｆ内に天板２ａと直角方向から嵌入して保持させる。このとき、配線器具６は樹脂製の支持脚２ｂとリブ２ｃとによって挟圧され、これらとの摩擦力により保持されて自然に落下することがない。その後、配線ピット３内の配線７を増設の配線器具６に接続する。
配線器具６の接続を完了した後は、上記と逆の手順で、天板２ａの右側半分を折曲線イを軸として下方に回動し、水平状態に復位し、更に、仕上材５を載置する。これによって、配線器具６の増設が完了する。
【００２４】
なお、上記は、増設する配線器具６をハの位置の配線器具収容空間２ｆに据置く場合を述べたが、増設する配線器具６を図１のニの位置の配線器具収容空間２ｆに据置く場合には、天板２ａの手前側半分を折曲線ロを軸として上方に回動すればよい。
【００２５】
このように本実施例の配線用床材は、隣合う床材との間に配線ピット３を形成すべく基礎床面１上に所定間隔をおいて敷設し、配線器具６を収容可能な凹所として形成された配線器具収容空間２ｆを、前記配線ピット３に臨むように天板２ａの裏側に設けるとともに、前記配線器具収容空間２ｆを床上に臨ませ得るよう一部を上方に回動可能に形成したものである。
【００２６】
したがって、配線器具６を収容可能な配線器具収容空間２ｆが天板２ａの下方に設けられているので、配線ピット３が配線器具６によって塞がれることがなく、配線の施工に支障をきたすことがない。そして、配線用床材２の一部を上方に回動することができるので、基礎床面１と配線用床材２の天板２ａとの間の空間に収容される配線器具６の増設、取替え等の施工においては、配線器具６と対応する配線用床材２の半分のみを上方に回動すればよい。したがって、配線器具６の施工が容易となる。
【００２７】
また、配線用床材２の一部を上方に回動したときに配線器具収容空間２ｆは床上に臨むため、配線器具６を配線器具収容空間２ｆに収容、保持させた状態で一体に回動させれば楽な姿勢で配線器具６の取付け、取外し作業ができる。そして、配線器具６を配線器具収容空間２ｆに保持させているので、収容後に配線用床材２の一部を下方に回動して復元するときに、配線器具６を配線用床材２の天板２ａの下方において単に基礎床面１に載置して収容する場合には、配線用床材２の天板２ａの裏面のリブ２ｃと干渉しないよう据付位置に注意する必要があるのに対し、本実施例ではその必要がない。
【００２８】
更に、配線用床材２の相互間には配線ピット３が形成されているので、回動時に配線用床材２同士が干渉するのを防止できる。そして、配線器具収容空間２ｆ内に既に収容されている配線器具６に対して配線７を接続する場合には、配線器具６がその配線接続口を、側面開口部２ｅを介して配線ピット３に臨ませた状態で据置かれているので、その都度天板２ａを操作しなくてもよいから、施工時間を短縮することができる。
【００２９】
また、配線用床材２の配線器具収容空間２ｆが配線器具６を圧入により保持する凹所によって形成しているので、開口面から嵌入するだけで配線器具６を所定位置に簡単かつ確実に収容でき、回動時に落下することがない。
【００３０】
ところで、上記実施例では、配線用床材２の天板２ａを合成樹脂で一体に成形し、ヒンジ部２ｄを薄肉とすることによってヒンジ構造を形成し、このヒンジ部２ｄのヒンジ機構によって天板２ａの一部を上方に回動可能としている。
【００３１】
更に、上記実施例の配線器具収容空間２ｆは、下方に開口する凹所として形成し、配線器具６を周囲から挟圧、保持する構造としているが、側方に開口する凹所として形成し、側方から嵌入してもよく、或いは、配線器具６の中央部に貫通孔を設け、天板２ａの裏面にこの貫通孔に嵌入する突出棒を設けて配線器具６の貫通孔と天板２ａの突出棒との圧入による嵌合力によって保持させることもできる。また、嵌合によることなく、配線用床材２の側面開口部２ｅの開口面積を大きくし、単に側方から配線器具６を挿入して保持させる構造であってもよい。要するに、配線用床材２の一部を上下方向に回動したときに、配線器具６が落下したり、移動したりすることがなく、確実に天板２ａの裏面の所定位置に保持できればよい。
【００３２】
そして、上記実施例では、配線用床材２の天板２ａを折曲線イまたは折曲線ロを軸として２ブロック単位で折曲するようにしているが、これに限定されるものではなく、天板２ａの折曲線イまたは折曲線ロの半分まで切込みを入れて１ブロック単位即ち配線用床材２の四分の一の部分のみを上下方向に回動できるようにしてもよい。これは、特に、仕上材５が、図６に示すように、隣合う４個の配線用床材２との間でそれぞれの配線用床材２の四分の一の部分に載置されている場合に効果がある。即ち、１枚の仕上材５を取外した後、施工の対象となる配線用床材２は四分の一の部分のみを回動すればよく、また、他の仕上材５は取外す必要がなくなる。なお、このとき、ヒンジ部２ｄは薄肉で形成されているため、前記折曲線に沿って簡単に切込むことができる。
【００３３】
加えて、上記実施例の配線用床材２の天板２ａは、等分４分割としているが、図７の別の天板を示す平面図及び図８の更に別の天板を示す平面図のように、偏分割或いは三角形状の分割等としてもよく、また、４分割に限定されることもない。
【００３４】
また、上記実施例においては、配線器具６は、配線用床材２の天板２ａの裏面に収容、保持させたものとしているが、本発明を実施する場合には、これに限定されるものではなく、配線器具６を基礎床面１の所定位置に単に載置するだけの構造とすることもできる。但し、配線器具６を基礎床面１の所定位置に載置しないと、天板２ａを下方に回動して復元するときに、配線用床材２のリブ２ｃの先端が配線器具６と接触することがあるので、予め据置位置を明確にしておく必要がある。
【００３５】
【発明の効果】
以上のように、本発明の配線用床材及び配線用床材装置は、配線器具を収容可能な収容空間部が天板下方に設けられているので、配線ピットが塞がれることがなく、配線の施工に支障をきたすことがない。そして、その一部が、前記天板に形成したヒンジ部により上方に回動することができるので、対応する部分のみを回動することにより、配線器具の増設、取替えを簡単に行なうことができる。更に、配線用床材相互間に所定の幅を有する配線ピットが設けられているので、上方に回動するときに配線用床材同士が干渉することがない。そして、配線器具の収容空間に収容されている配線器具がその配線接続口を配線ピットに臨ませた状態で収容されているので、既設の配線器具に配線を接続する場合に、その都度配線用床材の天板を操作する必要がなく、その結果、施工時間を短縮できる。
【００３６】
特に、請求項１の発明の配線用床材は、配線用床材の収容空間部が下方または側方に開口する凹所によって形成されているので、配線器具を前記開口面から嵌入するだけの簡単な操作で収容できる。そして、配線用床材の一部を上方に回動したとき、収容空間部は床上に臨むため、配線器具を収容空間部に保持させた状態で一体に回動させれば、楽な姿勢で配線器具の取付け、取外し作業ができるとともに、収容後に配線用床材の一部を下方に回動して復元するときには、配線用床材の天板裏面のリブ等が配線器具と干渉しないよう注意する必要がない。
【００３７】
また、請求項２にかかる配線用床材装置は、上記のように構成したのであるから、
・配線用床材２の相互間に形成した配線ピット３により、回動時に配線用床材２同士が干渉するのを防止できる。
・配線器具収容空間２ｆ内に既に収容されている配線器具６に対して配線７を接続する場合には、配線器具６がその配線接続口を、側面開口部２ｅを介して配線ピット３に臨ませた状態で据置かれているので、その都度天板２ａを操作しなくてもよく、施工時間を短縮することができる。
・配線用床材２の配線器具収容空間２ｆが配線器具６を圧入により保持する凹所によって形成しているので、開口面から嵌入するだけで配線器具６を所定位置に簡単かつ確実に収容でき、回動時に落下することがない。
という効果を発揮することができるのである。
【００３８】
さらに、請求項３にかかる配線用床材装置は、上記のように構成したから、
・前記収容空間部を床上に臨ませ得るよう隣合う配線用床材と干渉することなく一部を上方に回動させ得る
という効果を発揮することができるのである。
【００３９】
そして、請求項４にかかる配線用床材装置は、上記のように構成したから、
・前記蓋体を除去することで、前記収容空間部を床上に臨ませ得るよう隣合う配線用床材と干渉することなく一部を上方に回動させ得る
という効果を発揮することができるのである。
【図面の簡単な説明】
【図１】本発明の実施例の配線用床材を示す平面図である。
【図２】図１の配線用床材を示す正面図である。
【図３】図１の配線用床材を示す斜視図である。
【図４】本実施例の配線用床材の一部を上方に回動した状態を示す正面図である。
【図５】図４の配線用床材の状態を示す斜視図である。
【図６】配線用床材上の仕上材の敷設位置を示す説明図である。
【図７】本実施例の配線用床材の別の天板を示す平面図である。
【図８】本実施例の配線用床材の更に別の天板を示す平面図である。
【図９】従来の配線用床材を示す平面図である。
【図１０】図９のＡ−Ａ切断線による断面図である。
【図１１】従来の別の配線用床材を示す平面図である。
【符号の説明】
１  基礎床面
２  配線用床材
２ａ  天板
２ｆ  配線器具収容空間
３  配線ピット
４  蓋体
５  仕上材
６  配線器具
７  配線
【図１】
0003550757.tif 000002
【図２】
0003550757.tif 000003
【図３】
0003550757.tif 000004
【図４】
0003550757.tif 000005
【図５】
0003550757.tif 000006
【図６】
0003550757.tif 000007
【図７】
0003550757.tif 000008
【図８】
0003550757.tif 000009
【図９】
0003550757.tif 000010
【図１０】
0003550757.tif 000011
【図１１】
0003550757.tif 000012